【手続補正書】
【提出日】平成18年7月3日(2006.7.3)
【手続補正１】
【補正対象書類名】明細書
【補正対象項目名】特許請求の範囲
【補正方法】変更
【補正の内容】
【特許請求の範囲】
【請求項１】プラグ（１０）とレセプタクル（２０）がバヨネットロック式に結合されて、それぞれの中央コンタクト（１３）、（２３）が電気的に接続される同軸コネクタにおいて、
前記プラグ（１０）における前記レセプタクル（２０）との結合部分のシェル（１１）の外周にガスケット（１４）が装着されるとともに、該ガスケット（１４）よりやや前記レセプタクル（２０）との結合部分側寄りの前記シェル（１１）の外周面に周設の凹溝部（１１ｆ）内にはＯリング（１５）が装着され、
前記レセプタクル（２０）のシェル（２１）の先端で、前記ガスケット（１４）が押圧されて軸方向で密着し、また、前記レセプタクルシェル（２１）の下面で、前記Ｏリング（１５）が押圧されて径方向で密着し、前記プラグ（１０）と前記レセプタクル（２０）の結合部分の防水性能が得られる構成を特徴とする防水型同軸コネクタ。
【請求項２】プラグ（１０）とレセプタクル（２０）がバヨネットロック式に結合されて、それぞれの中央コンタクト（１３）、（２３）が電気的に接続される同軸コネクタにおいて、
前記プラグ（１０）における前記レセプタクル（２０）との結合部分のシェル（１１）の外周にガスケット（１４）が装着されるとともに、該ガスケット（１４）よりやや前記レセプタクル（２０）との結合部分側寄りの前記シェル（１１）の外周面に周設の凹溝部（１１ｆ）内にはＯリング（１５）が、また、前記シェル（１１）における同軸ケーブル（１００）の結線側の外周面に周設の凹溝部（１１ｋ）内にはＯリング（２４）がそれぞれ装着され、
前記レセプタクル（２０）のシェル（２１）の先端で、前記ガスケット（１４）が押圧されて軸方向で密着し、また、前記レセプタクルシェル（２１）の下面で、前記Ｏリング（１５）が押圧されて径方向で密着し、前記プラグ（１０）と前記レセプタクル（２０）の結合部分の防水性能が得られ、また、前記プラグシェル（１１）に外挿着の前記フェルール（２５）の下面で、前記Ｏリング（２４）が押圧されて、前記同軸ケーブル（１００）のシールド線（１０２）の先端部分の防水性が得られる構成を特徴とする防水型同軸コネクタ。
【請求項３】プラグ（１０）とレセプタクル（２０）がバヨネットロック式に結合されて、それぞれの中央コンタクト（１３）、（２３）が電気的に接続される同軸コネクタにおいて、
前記プラグ（１０）における前記レセプタクル（２０）との結合部分のシェル（１１）の外周面にガスケット（１４）が装着されるとともに、該ガスケット（１４）よりやや前記レセプタクル（２０）との結合部分側寄りの前記シェル（１１）の外周面に周設の凹溝部（１１ｆ）内にはＯリング（１５）が装着され、また、前記シェル（１１）における同軸ケーブル（１００）の結線側の外周面に周設の凹溝部（１１ｌ）内にはガスケット（２７）が装着され、
前記レセプタクル（２０）のシェル（２１）の先端で、前記ガスケット（１４）が押圧されて軸方向で密着し、また、前記レセプタクルシェル（２１）の下面で、前記Ｏリング（１５）が押圧されて径方向で密着し、前記プラグ（１０）と前記レセプタクル（２０）の結合部分の防水性能が得られるとともに、前記ガスケット（２７）がシールド線（１０２）と共に前記フェルール（２５）の外周面から押し潰されて、前記同軸ケーブル（１００）の前記シールド線（１０２）の先端部分と前記同軸ケーブル（１００）の外皮部分の防水性が得られる構成を特徴とする防水型同軸コネクタ。
【請求項４】プラグ（１０）とレセプタクル（２０）がバヨネットロック式に結合されて、それぞれの中央コンタクト（１３）、（２３）が電気的に接続される同軸コネクタにおいて、
前記プラグ（１０）における前記レセプタクル（２０）との結合部分のシェル（１１）の外周にガスケット（１４）が装着されるとともに、該ガスケット（１４）よりやや前記レセプタクル（２０）との結合部分側寄りの前記シェル（１１）の外周面に周設の凹溝部（１１ｆ）内にはＯリング（１５）が装着され、
前記プラグ（１０）における同軸ケーブル（１００）の結線側のシェル（１１）の内周面にガスケット（２８）が装着され、
前記レセプタクル（２０）のシェル（２１）の先端で、前記ガスケット（１４）が押圧されて軸方向で密着し、また、前記レセプタクルシェル（２１）の下面で、前記Ｏリング（１５）が押圧されて径方向で密着し、前記プラグ（１０）と前記レセプタクル（２０）の結合部分の防水性能が得られるとともに、前記ガスケット（２８）が締付ナット（３１）により締め付けられて前記同軸ケーブル（１００）の結線側の防水性が得られる構成を特徴とする防水型同軸コネクタ。
【請求項５】プラグ（１０）とレセプタクル（２０）がバヨネットロック式に結合されて、それぞれの中央コンタクト（１３）、（２３）が電気的に接続される同軸コネクタにおいて、
前記プラグ（１０）における前記レセプタクル（２０）との結合部分のシェル（１１）の外周にガスケット（１４）が装着されるとともに、該ガスケット（１４）よりやや前記レセプタクル（２０）との結合部分側寄りの前記シェル（１１）の外周面に周設の凹溝部（１１ｆ）内にはＯリング（１５）が装着され、
前記プラグ（１０）における前記同軸ケーブル（１００）の結線側のシェル（１１）の外周面に、前記同軸ケーブル（１００）のシールド線（１０２）がフェルール（２５）を介して圧着されるとともに、該フェルール（２５）の外周面は接着剤付収縮チューブ（３２）により完全被覆され、
前記レセプタクル（２０）のシェル（２１）の先端で、前記ガスケット（１４）が押圧されて軸方向で密着し、また、前記レセプタクルシェル（２１）の下面で、前記Ｏリング（１５）が押圧されて径方向で密着し、前記プラグ（１０）と前記レセプタクル（２０）の結合部分の防水性能が得られるとともに、前記接着剤付収縮チューブ（３２）によって前記同軸ケーブル（１００）の結線側の防水性が得られる構成を特徴とする防水型同軸コネクタ。
【手続補正２】
【補正対象書類名】明細書
【補正対象項目名】０００５
【補正方法】変更
【補正の内容】
【０００５】
【課題を解決するための手段】
この目的のため、請求項１に係る発明は、プラグ１０とレセプタクル２０がバヨネットロック式に結合されて、それぞれの中央コンタクト１３、２３が電気的に接続される同軸コネクタにおいて、
前記プラグ１０における前記レセプタクル２０との結合部分のシェル１１の外周にガスケット１４が装着されるとともに、該ガスケット１４よりやや前記レセプタクル２０との結合部分側寄りの前記シェル１１の外周面に周設の凹溝部１１ｆ内にはＯリング１５が装着され、
前記レセプタクル２０のシェル２１の先端で、前記ガスケット１４が押圧されて軸方向で密着し、また、前記レセプタクルシェル２１の下面で、前記Ｏリング１５が押圧されて径方向で密着し、前記プラグ１０と前記レセプタクル２０の結合部分の防水性能が得られる構成を特徴とするものである。
【手続補正３】
【補正対象書類名】明細書
【補正対象項目名】０００６
【補正方法】変更
【補正の内容】
【０００６】
請求項２に係る発明は、プラグ１０とレセプタクル２０がバヨネットロック式に結合されて、それぞれの中央コンタクト１３、２３が電気的に接続される同軸コネクタにおいて、
前記プラグ１０における前記レセプタクル２０との結合部分のシェル１１の外周にガスケット１４が装着されるとともに、該ガスケット１４よりやや前記レセプタクル２０との結合部分側寄りの前記シェル１１の外周面に周設の凹溝部１１ｆ内にはＯリング１５が、また、前記シェル１１における同軸ケーブル１００の結線側の外周面に周設の凹溝部１１ｋ内にはＯリング２４がそれぞれ装着され、 
前記レセプタクル２０のシェル２１の先端で、前記ガスケット１４が押圧されて軸方向で密着し、また、前記レセプタクルシェル２１の下面で、前記Ｏリング１５が押圧されて径方向で密着し、前記プラグ１０と前記レセプタクル２０の結合部分の防水性能が得られ、また、前記プラグシェル１１に外挿着の前記フェルール２５の下面で、前記Ｏリング２４が押圧されて、前記同軸ケーブル１００のシールド線１０２の先端部分の防水性が得られる構成を特徴とするものである。
【手続補正４】
【補正対象書類名】明細書
【補正対象項目名】０００７
【補正方法】変更
【補正の内容】
【０００７】
請求項３に係る発明は、プラグ１０とレセプタクル２０がバヨネットロック式に結合されて、それぞれの中央コンタクト１３、２３が電気的に接続される同軸コネクタにおいて、
前記プラグ１０における前記レセプタクル２０との結合部分のシェル１１の外周にガスケット１４が装着されるとともに、該ガスケット１４よりやや前記レセプタクル２０との結合部分側寄りの前記シェル１１の外周面に周設の凹溝部１１ｆ内にはＯリング１５が装着され、また、前記シェル１１における同軸ケーブル１００の結線側の外周面に周設の凹溝部１１ｌ内にはガスケット２７が装着され、
前記レセプタクル２０のシェル２１の先端で、前記ガスケット１４が押圧されて軸方向で密着し、また、前記レセプタクルシェル２１の下面で、前記Ｏリング１５が押圧されて径方向で密着し、前記プラグ１０と前記レセプタクル２０の結合部分の防水性能が得られるとともに、前記ガスケット２７がシールド線１０２と共に前記フェルール２５の外周面から押し潰されて、前記同軸ケーブル１００の前記シールド線１０２の先端部分と前記同軸ケーブル１００の外皮部分の防水性が得られる構成を特徴とするものである。
【手続補正５】
【補正対象書類名】明細書
【補正対象項目名】０００８
【補正方法】変更
【補正の内容】
【０００８】
請求項４に係る発明は、プラグ１０とレセプタクル２０がバヨネットロック式に結合されて、それぞれの中央コンタクト１３、２３が電気的に接続される同軸コネクタにおいて、
前記プラグ１０における前記レセプタクル２０との結合部分のシェル１１の外周にガスケット１４が装着されるとともに、該ガスケット１４よりやや前記レセプタクル２０との結合部分側寄りの前記シェル１１の外周面に周設の凹溝部１１ｆ内にはＯリング１５が装着され、
前記プラグ１０における同軸ケーブル１００の結線側のシェル１１の内周面にガスケット２８が装着され、
前記レセプタクル２０のシェル２１の先端で、前記ガスケット１４が押圧されて軸方向で密着し、また、前記レセプタクルシェル２１の下面で、前記Ｏリング１５が押圧されて径方向で密着し、前記プラグ１０と前記レセプタクル２０の結合部分の防水性能が得られるとともに、前記ガスケット２８が締付ナット３１により締め付けられて前記同軸ケーブル１００の結線側の防水性が得られる構成を特徴とするものである。
【手続補正６】
【補正対象書類名】明細書
【補正対象項目名】０００９
【補正方法】変更
【補正の内容】
【０００９】
請求項５に係る発明は、プラグ１０とレセプタクル２０がバヨネットロック式に結合されて、それぞれの中央コンタクト１３、２３が電気的に接続される同軸コネクタにおいて、
前記プラグ１０における前記レセプタクル２０との結合部分のシェル１１の外周にガスケット１４が装着されるとともに、該ガスケット１４よりやや前記レセプタクル２０との結合部分側寄りの前記シェル１１の外周面に周設の凹溝部１１ｆ内にはＯリング１５が装着され、
前記プラグ１０における前記同軸ケーブル１００の結線側のシェル１１の外周面に、前記同軸ケーブル１００のシールド線１０２がフェルール２５を介して圧着されるとともに、該フェルール２５の外周面は接着剤付収縮チューブ３２により完全被覆され、
前記レセプタクル２０のシェル２１の先端で、前記ガスケット１４が押圧されて軸方向で密着し、また、前記レセプタクルシェル２１の下面で、前記Ｏリング１５が押圧されて径方向で密着し、前記プラグ１０と前記レセプタクル２０の結合部分の防水性能が得られるとともに、前記接着剤付収縮チューブ３２によって前記同軸ケーブル１００の結線側の防水性が得られる構成を特徴とするものである。
【手続補正７】
【補正対象書類名】図面
【補正対象項目名】図１
【補正方法】変更
【補正の内容】
【図１】
2001052821.tif 000001
【手続補正８】
【補正対象書類名】図面
【補正対象項目名】図４
【補正方法】変更
【補正の内容】
【図４】
2001052821.tif 000002
【手続補正９】
【補正対象書類名】図面
【補正対象項目名】図５
【補正方法】変更
【補正の内容】
【図５】
2001052821.tif 000003
【手続補正１０】
【補正対象書類名】図面
【補正対象項目名】図６
【補正方法】変更
【補正の内容】
【図６】
2001052821.tif 000004
【手続補正１１】
【補正対象書類名】図面
【補正対象項目名】図７
【補正方法】変更
【補正の内容】
【図７】
2001052821.tif 000005